(57)【要約】【課題】費用を抑えて基板のメンテナンスをすること。【解決手段】空気調和装置の室内機および／または室外機に設けられ、電装品およびその他機器類を含むコントロールユニットに設けられる基板２０であって、電装品またはその他機器類と接続するためのコネクタが生産中止とされており、生産中止とされた旧コネクタが搭載された当該基板２０の交換が必要とされる場合に用いることができ、生産中の基板側新コネクタ２４と、一端に、基板側新コネクタ２４に対応するハーネス側新コネクタ２２を有し、他端に、電装品またはその他機器類との丸端子１１を有するハーネス１０とを備える。また、基板側新コネクタ２４と該基板側新コネクタ２４に対応するハーネス側新コネクタ２２とを接続した状態の新コネクタ２６を、当該基板２０に固着剤によって固着する固着部を有していてもよい。【選択図】図２
2017150757.tif 000002
【特許請求の範囲】
【請求項１】
空気調和装置の室内機および／または室外機に設けられ、電装品およびその他機器類を含むコントロールユニットに設けられる基板であって、
前記電装品または前記その他機器類と接続するためのコネクタが生産中止とされており、生産中止とされた旧コネクタが搭載された当該基板の交換が必要とされる場合に用いることができ、
生産中の基板側新コネクタと、
一端に、前記基板側新コネクタに対応するハーネス側新コネクタを有し、他端に、前記電装品または前記その他機器類との接続端を有するハーネスと
を備えた基板。
【請求項２】
前記基板側新コネクタと該基板側新コネクタに対応する前記ハーネス側新コネクタとを接続した状態の新コネクタを、当該基板に固着剤によって固着する固着部を有する請求項１に記載の基板。
【請求項３】
請求項１または請求項２に記載の基板を備えた室内機を具備する空気調和装置。
【請求項４】
請求項１または請求項２に記載の基板を備えた室外機を具備する空気調和装置。
【請求項５】
空気調和装置の室内機および／または室外機に設けられ、電装品およびその他機器類を含むコントロールユニットに設けられる基板の製造方法であって、
前記電装品または前記その他機器類と接続するためのコネクタが生産中止とされており、生産中止とされた旧コネクタが搭載された当該基板の交換が必要とされる場合に用いることができるものであり、
生産中の基板側新コネクタを備える第１工程と、
一端に、前記基板側新コネクタに対応するハーネス側新コネクタを有し、他端に、前記電装品または前記その他機器類との接続端を有するハーネスのうち、前記ハーネス側新コネクタと前記基板側新コネクタとを接続する第２工程と
を有する基板の製造方法。
【発明の詳細な説明】
【技術分野】
【０００１】
本発明は、基板、及びこれを備えた空気調和装置、並びに基板の製造方法に関するものである。
【背景技術】
【０００２】
例えば、空気調和装置の室外機には、圧縮機、熱交換器、室外ファン等が配置され、そのうち圧縮機などの電気部品は外気と隔離された機械室内に配置される。こうした電気部品は、コンデンサ等の電装品で構成される制御回路により駆動されるものであり、制御回路を構成する基板と電装品はコントロールユニットに収容されている。
下記特許文献１では、空気調和装置の室外機内に設けられ、電気部品が収容される機械室の上部に電装品を収納する収納部を設け、収納部本体の底面を、機械室に面する部分の５０％以上開口させることにより、室外機の組立性を向上させる技術が開示されている。
【先行技術文献】
【特許文献】
【０００３】
【特許文献１】特開２００３−２４０２７７号公報
【発明の概要】
【発明が解決しようとする課題】
【０００４】
しかしながら、上記特許文献１では、コントロールユニットに備えられる基板の交換が必要となった場合に、その基板と電装品を接続するためのコネクタが生産中止とされていると、交換後の新たな基板には現在生産中の新たなコネクタが設けられることになり、電装品側の旧コネクタと、新しい基板の新コネクタとが接続できない。そうした場合には、故障したものが基板だけであっても、コントロールユニットごと交換しなければならずサービス費用が増大するという問題があった。
【０００５】
本発明は、このような事情に鑑みてなされたものであって、費用を抑えてメンテナンスできる基板、及びこれを備えた空気調和装置、並びに基板の製造方法を提供することを目的とする。
【課題を解決するための手段】
【０００６】
上記課題を解決するために、本発明は以下の手段を採用する。
本発明は、空気調和装置の室内機および／または室外機に設けられ、電装品およびその他機器類を含むコントロールユニットに設けられる基板であって、前記電装品または前記その他機器類と接続するためのコネクタが生産中止とされており、生産中止とされた旧コネクタが搭載された当該基板の交換が必要とされる場合に用いることができ、生産中の基板側新コネクタと、一端に前記基板側新コネクタに対応するハーネス側新コネクタを有し、他端に前記電装品または前記その他機器類との接続端を有するハーネスとを備えた基板を提供する。
【０００７】
本発明の構成は、生産中止とされた旧コネクタが搭載された基板の交換が必要とされる場合に用いることができ、生産中の基板側新コネクタと、基板側新コネクタに対応するハーネス側新コネクタが設けられるハーネスの一端とが接続され、ハーネスの他端は電装品またはその他機器類との接続端が設けられ、新コネクタを備えたハーネスを含んだ基板とされる。旧コネクタを介して交換前の基板と接続されていた電装品およびその他機器類との接続は、新コネクタを備えるハーネスを介して行われる。
このように、生産中止の旧コネクタが搭載された基板を交換する必要がある場合に、新コネクタが搭載された基板であっても、基板の新コネクタと接続可能なハーネスが併せて提供されることによって、コントロールユニット毎の交換や、基板への新たな半田付けが不要となるので費用が抑えられ、サービス性が向上する。
【０００８】
上記基板は、前記基板側新コネクタと該基板側新コネクタに対応する前記ハーネス側新コネクタとを接続した状態の新コネクタを、当該基板に固着剤によって固着する固着部を有していてもよい。
【０００９】
基板に新コネクタを固着させる固着部を有することによって、メンテナンスを行う担当者が、誤ってハーネスを取り外してしまい、現場で旧コネクタ用ハーネスが接続された電装品またはその他機器類と接続できなくなることを防ぐことができる。
【００１０】
本発明は、上記いずれかに記載の基板を備えた室内機を具備する空気調和装置を提供する。
【００１１】
本発明は、上記いずれかに記載の基板を備えた室外機を具備する空気調和装置を提供する。
【００１２】
本発明は、空気調和装置の室内機および／または室外機に設けられ、電装品およびその他機器類を含むコントロールユニットに設けられる基板の製造方法であって、前記電装品または前記その他機器類と接続するためのコネクタが生産中止とされており、生産中止とされた旧コネクタが搭載された当該基板の交換が必要とされる場合に用いることができるものであり、生産中の基板側新コネクタを備える第１工程と、一端に、前記基板側新コネクタに対応するハーネス側新コネクタを有し、他端に、前記電装品または前記その他機器類との接続端を有するハーネスのうち、前記ハーネス側新コネクタと前記基板側新コネクタとを接続する第２工程とを有する基板の製造方法を提供する。
【発明の効果】
【００１３】
本発明は、費用を抑えてメンテナンスできるという効果を奏する。
【図面の簡単な説明】
【００１４】
【図１】本発明の第１実施形態に係る空気調和装置の斜視図である。
【図２】本発明の第１実施形態に係る基板を正面から見た図の一例である。
【図３】本発明の第１実施形態に係る基板を基板側方から見た図の一例である。
【図４】本発明の第１実施形態に係る基板側新コネクタの一例を示した図である。
【図５】本発明の第１実施形態に係る新コネクタの一例を示した図である。
【図６】本発明の第２実施形態に係る基板を正面から見た図の一例である。
【図７】本発明の第２実施形態に係る基板を基板側方から見た図の一例である。
【発明を実施するための形態】
【００１５】
［第１実施形態］
図１には、本発明の一実施形態にかかる空気調和装置の斜視図が示されている。
空気調和装置１は、室内に設置される室内機２と、室外に設置される室外機３と、室内機２および室外機３間を接続する冷媒配管４および電気配線５と、空気調和装置１を操作するリモコン６とを備えている。
【００１６】
室内機２は、室内空気の吸い込み口４０および温調空気の吹き出し口４１を備えた筐体４２と、この筐体４２内に配設されたエアフィルタ４３、室内熱交換器４４、室内ファン４５、室内機２側の機器を制御する制御基板を有する室内コントローラ（コントロールユニット）４６等とを備えている。室内機２は、室内ファン４５によって室内空気を循環させ、この空気を室内熱交換器４４で冷媒と熱交換させて冷却または加熱し、それを室内に吹き出して室内を空調する機能を有している。
【００１７】
室外機３は、機械室と外気が流通可能とされた熱交換室とに仕切られた筐体３０と、筐体３０内の熱交換室側に配設された室外熱交換器３１および室外ファン３２と、筐体３０内の機械室側に配設された圧縮機３３、図示省略の四方切換弁、室外機側の機器を制御する制御基板等が収容設置されたコントロールボックス（コントロールユニット）３４等とを備えている。圧縮機３３で圧縮された冷媒を四方切換弁の切り換えにより、高温高圧ガスまたは室外熱交換器３１で凝縮された高圧液冷媒として調整し、室内機２に供給する機能を有している。
室内コントローラ４６とコントロールボックス３４は、制御線を介して接続され、運転信号等を授受して空調運転を制御する。
【００１８】
本実施形態に係る基板は、室内機２に設けられる室内コントローラ４６の制御基板として用いてもよいし、室外機３に設けられるコントロールボックス３４の制御基板として用いてもよい。以下では、室外機３のコントロールボックス３４の制御基板である場合を例に挙げて説明する。
図２は、コントロールボックス３４の基板を正面から見た図を示しており、図３はコントロールボックス３４の基板を基板側方から見た図を示している。
図２に示されるように、基板２０は、基板側新コネクタ２４を備えている。
ハーネス１０は、一端に基板側新コネクタ２４に対応するハーネス側新コネクタ２２を備え、他端に電装品等と接続するための端子（例えば、丸端子１１）とを備えている。図２では、基板側新コネクタ２４とハーネス側新コネクタ２２とを接続した新コネクタ２６が基板２０に取り付けられた状態を示している。
図４は、基板側新コネクタ２４を拡大した斜視図の一例が図示されている。図５は、基板側新コネクタ２４に、基板側新コネクタ２４に対応するハーネス側新コネクタ２２が取り付けられ、基板２０に新コネクタ２６が取り付けられている様子を拡大して示している。ハーネス側新コネクタ２２の反対側のハーネス１０の他端には、丸端子１１が設けられている。
【００１９】
図３は、新コネクタ２６を介して基板２０と電装品が接続される接続例が示されている。図３では、圧縮機３３を駆動制御する電子部品として電解コンデンサ５０と接続される図が示されており、ハーネス１０の他端に接続された丸端子１１を電解コンデンサ５０と接続されている。
【００２０】
以下に、本実施形態に係る基板２０が用いられる作用を図１から図５を用いて説明する。
空気調和装置１の室内機２および／または室外機３に設けられ、電装品およびその他機器類を含むコントロールユニット（室内コントローラ４６および／またはコントロールボックス３４）に設けられる基板２０において、電装品またはその他機器類と接続するためのコネクタが生産中止とされ、生産中止とされた旧コネクタが搭載された当該基板の交換が必要とされる場合を想定する。
電装品からハーネスが接続され、該ハーネスは旧コネクタを介して基板と接続されている。基板側の旧コネクタとハーネス側の旧コネクタが取り外されることで、基板が取り除かれ、電装品とそこに接続される旧コネクタを有するハーネスが残される。
【００２１】
交換後の新しい基板２０に、生産中（生産が中止されていない）の基板側新コネクタ２４（例えば、新コネクタのオス型）が設けられる。また、新しい基板２０に設けられる生産中の基板側新コネクタ２４に対応するハーネス側新コネクタ２２（例えば、新コネクタのメス型）を一端に有し、他端に電装品またはその他機器類と接続するための接続端（例えば、丸端子１１）を有するハーネス１０が、新しい基板２０とともに製造され、提供される。
メンテナンスをする技術者は、基板側新コネクタ２４を有する基板２０と、基板側新コネクタ２４に対応するハーネス側新コネクタ２２を有するハーネス１０とを併せて持ち運び、基板交換対象のコントロールユニットの基板交換をする。
【００２２】
このとき、基板交換対象のコントロールユニットの電装品に旧コネクタを有するハーネス等が残されている場合には、旧コネクタを有するハーネスを電装品から取り外し、新コネクタを有するハーネス１０を用いて電装品と基板２０とを接続する。
一般的に、基板を製作するメーカとハーネスを製作するメーカは別々であり、基板メーカには基板側に取り付けられるコネクタ（例えば、オス型）を基板とともに発注し、ハーネスメーカには基板に取り付けられるコネクタに対応するコネクタ（例えば、メス型）をハーネスとともに発注するものである。
本実施形態によれば、基板側新コネクタ２４が取り付けられた状態の基板２０とともに、基板２０側のコネクタに対応するハーネス側コネクタ２２が付いたハーネス１０を組み合わせて提供するもの、つまり、基板２０とハーネス１０を１つのメーカから提供するものである。これにより、発注を基板メーカとハーネスメーカの別々のメーカにそれぞれ行う必要がなく発注を簡略化できるとともに、コネクタの発注漏れ等による部品不足やサービス低下を防ぐことができる。
【００２３】
以上説明してきたように、基板２０、及びこれを備えた空気調和装置１、並びに基板２０の製造方法によれば、生産中止とされた旧コネクタが搭載された基板の交換が必要とされる場合に用いることができ、生産中の基板側新コネクタ２４と、基板側新コネクタ２４に対応するハーネス側新コネクタ２２が設けられるハーネス１０の一端とが接続され、ハーネス１０の他端は電装品またはその他機器類との接続端（例えば、丸端子１１）が設けられ、新コネクタ２６を備えたハーネス１０を含んだ基板２０とされる。旧コネクタを介して交換前の基板と接続されていた電装品およびその他機器類との接続は、新コネクタ２６を備えるハーネス１０を介して行われる。
このように、生産中止の旧コネクタが搭載された基板を交換する必要がある場合に、新コネクタ２６が搭載された基板２０であっても、基板２０の新コネクタ２６と接続可能なハーネス１０が併せてサービスパーツとして提供されることによって、コントロールユニットごとの交換や、基板へのハーネスの半田付けが不要となるので費用が抑えられ、サービス性が向上する。
【００２４】
［第２実施形態］
以下、本発明の第２実施形態について説明する。本実施形態の基板に設けられる新コネクタが、固着部を有している点で第１実施形態と異なる。本実施形態の空気調和装置について、第１実施形態と共通する点については説明を省略し、図６及び図７を用いて異なる点について主に説明する。
【００２５】
図６は、コントロールボックス３４の基板を正面から見た図を示しており、図７は新コネクタ２６’を拡大した斜視図を示している。
図６に示されるように、基板２０は、基板側新コネクタ２４を備えている。
ハーネス１０は、一端に基板側新コネクタ２４に対応するハーネス側新コネクタ２２を備え、他端に電装品等と接続するための端子（例えば、丸端子１１）とを備えている。
さらに、基板側新コネクタ２４とハーネス側新コネクタ２２とを接続した状態を覆うように固着部２８で基板２０に取り付けられ、新コネクタ２６’とされている。
固着部２８は、固着剤が用いられ、例えば、シリコン等が用いられる。
【００２６】
図７は、基板側新コネクタ２４に対応するハーネス側新コネクタ２２が取り付けられ、新コネクタを接続した状態で固着部２８を用いて基板２０に取り付けられた新コネクタ２６’を示している。ハーネス１０の一端にはハーネス側新コネクタ２２が設けられており、他端に丸端子１１が設けられている。
このように、基板２０の基板側新コネクタ２４とハーネス１０のハーネス側新コネクタ２２とを接続した上で、固着部２８を介して基板２０に固着させる。これによって、メンテナンスを行う技術者が、誤ってハーネス１０を取り外してしまい、現場で旧コネクタ用ハーネスが接続された電装品またはその他機器類と基板が接続できなくなることを防ぐことができる。
【００２７】
以上、本発明の実施形態について図面を参照して詳述してきたが、具体的な構成はこの実施形態に限られるものではなく、本発明の要旨を逸脱しない範囲の設計変更なども含まれる。
【符号の説明】
【００２８】
１  空気調和装置
１０  ハーネス
１１  丸端子（接続端）
２０  基板
２２  ハーネス側新コネクタ
２４  基板側新コネクタ
２６、２６’  新コネクタ
２８  固着部
【図１】
2017150757.tif 000003
【図２】
2017150757.tif 000004
【図３】
2017150757.tif 000005
【図４】
2017150757.tif 000006
【図５】
2017150757.tif 000007
【図６】
2017150757.tif 000008
【図７】
2017150757.tif 000009